(57)【要約】【課題】簡易な操作により、広範な色温度の範囲にわたって照明光の色温度および照度を調整する。【解決手段】照明コントローラ１は、互いに異なる色の光を放射する複数の発光素子（赤色ＬＥＤ３Ｒ、緑色ＬＥＤ３Ｇ、青色ＬＥＤ３Ｂ）を有する照明光源（例えば照明光源３−１）に、所定の光の色温度および照度の関係に基づいて、複数の発光素子が放射する光の色温度および照度を調整させる。例えば、調整スイッチＡＤ１は、長押し操作に応じて、光の色温度および照度を連続的に増減するように調整させ、単押し操作に応じて、光の色温度および照度を離散的に増減するように調整させる。【選択図】図３
2015041602.tif 000002
【特許請求の範囲】
【請求項１】
互いに異なる色の光を放射する複数の発光素子を有する照明光源に、所定の光の色温度および照度の関係に基づいて、前記複数の発光素子が放射する光の色温度および照度を調整させる操作部を、備え、
前記操作部は、
外部からの長押し操作に応じて、前記光の色温度および照度を連続的に増減するように調整させ、
外部からの単押し操作に応じて、前記光の色温度および照度を離散的に増減するように調整させる、
照明コントローラ。
【請求項２】
請求項１に記載の照明コントローラであって、
前記単押し操作に応じた前記光の色温度および照度の離散値は、前記所定の光の色温度および照度の関係を満たす推奨値である、
照明コントローラ。
【請求項３】
請求項１に記載の照明コントローラであって、
前記所定の光の色温度および照度の関係は、人に快適な印象を与える光の色温度および照度の関係である、
照明コントローラ。
【請求項４】
請求項１に記載の照明コントローラであって、
前記所定の光の色温度は、電球色、温白色、昼白色に対応した各色温度である、
照明コントローラ。
【請求項５】
請求項１から４のうちいずれか一項に記載の照明コントローラと、
前記照明コントローラへの操作に応じて、前記操作に応じた色温度および照度の光を前記照明光源から照射させる電源部と、を備える、
照明器具。
【発明の詳細な説明】
【技術分野】
【０００１】
本発明は、照明器具を操作するための照明コントローラと、照明コントローラに対する操作に応じて調光して点灯する照明器具に関する。
【背景技術】
【０００２】
昼白色の蛍光灯のような明るく青白い光、即ち色温度の高い光は人の気分を爽やかにするが、照度（明るさ）が低すぎると陰気で寒々しい印象を与え、一方、電球色の白熱灯のような赤っぽい光、即ち色温度の低い光は照度が低いと穏やかで暖かい印象を与えるが、照度が高すぎると暑苦しさ、不快感を与えるという心理効果（クルイトフの快適領域）が知られている。
【０００３】
このため、例えば色温度が低い赤っぽい光では照度を抑え、色温度が高い青白い光では照度を高くするなど、人に快適な印象を与えることができる光の色温度と照度との関係が従来から知られている（例えば、非特許文献１および図８参照）。図８は、人に快適な印象を与える光の色温度と照度との関係を表す曲線ＣＲＶの一例を示すグラフである。図８に示す曲線ＣＲＶでは、例えば２２００Ｋから２７００Ｋの範囲の色温度の光は、白熱灯のように赤っぽい光の照度が低いと、穏やかで暖かい印象を人に与える。また、例えば３５００Ｋから５０００Ｋの範囲の色温度の光は、蛍光灯のように青白い光の照度が高いと、爽やかな気分を人に与える。
【０００４】
また、上述した心理効果に着目し、照明光の色温度および照度を可変する照明装置が種々提案されている（例えば特許文献１参照）。特許文献１に示す照明装置は、コントローラが受け付けた操作入力に応じて、所定の色温度未満の範囲では操作入力の変化に対応して照明光の色温度および光量が連動して増減するように照明光源の各発光素子の光量を決定する。また、特許文献１に示す照明装置は、所定の色温度以上の範囲では光量を所定範囲内に収めつつ、操作入力の変化に対応して照明光の色温度が増減するように照明光源の各発光素子の光量を決定する。
【先行技術文献】
【特許文献】
【０００５】
【特許文献１】特開２０１０−１７６９８４号公報
【非特許文献】
【０００６】
【非特許文献１】住宅用照明器具  ２０１３−２０１４総合カタログ、パナソニック株式会社、［online］、［平成２５年７月３1日検索］、インターネット＜URL：http://sumai.panasonic.jp/catalog/lighting.html＞
【発明の概要】
【発明が解決しようとする課題】
【０００７】
しかし、上述した特許文献１を含む従来技術では、例えば人が照明光の色温度を昼白色または電球色に調整する場合、昼白色、温白色または電球色に応じてクルイドフの快適領域が現れる照明光の照度を人が簡易に設定することが困難である、という課題があった。
【０００８】
例えば、クルイドフの快適領域が現れる図８に示す曲線ＣＲＶに従って、色温度の全範囲にわたって照明光の色温度および照度を調整する場合には、例えば人が照明光を見ながらコントローラの色温度調整用ボタンおよび照度調整用ボタンを押下し続ける必要があるという操作上の不便さがあった。
【０００９】
本発明は、上述した従来の課題を解決するために、簡易な操作により、色温度の広範な範囲にわたって照明光の色温度および照度を調整する照明コントローラ、および照明コントローラを含む照明器具を提供することを目的とする。
【課題を解決するための手段】
【００１０】
本発明の一態様は、互いに異なる色の光を放射する複数の発光素子を有する照明光源に、所定の光の色温度および照度の関係に基づいて、前記複数の発光素子が放射する光の色温度および照度を調整させる操作部を、備え、前記操作部は、外部からの長押し操作に応じて、前記光の色温度および照度を連続的に増減するように調整させ、外部からの単押し操作に応じて、前記光の色温度および照度を離散的に増減するように調整させる、照明コントローラである。
【００１１】
また、本発明の一態様は、前記単押し操作に応じた前記光の色温度および照度の離散値は、前記所定の光の色温度および照度の関係を満たす推奨値である、照明コントローラである。
【００１２】
また、本発明の一態様は、前記所定の光の色温度および照度の関係は、人に快適な印象を与える光の色温度および照度の関係である、照明コントローラである。
【００１３】
また、本発明の一態様は、前記所定の光の色温度は、電球色、温白色、昼白色に対応した各色温度である、照明コントローラである。
【００１４】
また、本発明の一態様は、いずれかの前記照明コントローラと、前記照明コントローラへの操作に応じて、前記操作に応じた色温度および照度の光を前記照明光源から照射させる電源部と、を備える、照明器具である。
【発明の効果】
【００１５】
本発明によれば、簡易な操作により、色温度の広範な範囲にわたって照明光の色温度および照度を調整することができる。
【図面の簡単な説明】
【００１６】
【図１】（Ａ）本実施形態の照明器具の全体構成を示すブロック図、（Ｂ）電源ユニットの内部構成の一例を示すブロック図、（Ｃ）赤色ＬＥＤ駆動部、緑色ＬＥＤ駆動部および青色ＬＥＤ駆動部の回路構成の一例を示す図
【図２】（Ａ）図１（Ａ）に示す照明コントローラの拡大説明図、（Ｂ）図２（Ａ）に示すコントローラユニットの内部構成の一例を簡易に示すブロック図
【図３】本実施形態の照明コントローラの操作に応じた、照明光源からの光の色温度と照度との変化の一例を示す説明図
【図４】調整用スイッチの長押し操作と単押し操作とに応じた、照明光源からの光の色温度と照度との変化の一例を示す説明図
【図５】照明コントローラと複数の照明器具とが取り付けられた部屋の一例を示す図
【図６】（Ａ）第１変形例の照明コントローラの操作に応じた、照明器具からの照明光の色温度と照度との変化の一例を示す説明図、（Ｂ）第１変形例の照明コントローラのコントローラユニットの一例を示す図、（Ｃ）第１変形例の照明コントローラのコントローラユニットの他の一例を示す図
【図７】（Ａ）第２変形例の照明器具の全体構成を示すブロック図、（Ｂ）電源ユニットの内部構成の一例を示すブロック図
【図８】人に快適な印象を与える光の色温度と照度との関係を表す曲線の一例を示すグラフ
【発明を実施するための形態】
【００１７】
以下、本発明に係る照明コントローラおよび照明器具の実施形態（以下、「本実施形態」という）について、図面を参照して説明する。
【００１８】
（本実施形態）
図１（Ａ）は、本実施形態の照明器具５の全体構成を示すブロック図である。図１（Ｂ）は、電源ユニット２−１の内部構成の一例を示すブロック図である。図１（Ｃ）は、赤色ＬＥＤ駆動部２７Ｒ、緑色ＬＥＤ駆動部２７Ｇおよび青色ＬＥＤ駆動部２７Ｂの回路構成の一例を示す図である。
【００１９】
図１（Ａ）に示す照明器具５は、照明コントローラ１と、少なくとも１つの照明光源３−１，…，３−ｎ（ｎ：２以上の整数）と、少なくとも１つの電源ユニット２−１，…，２−ｎとを含む。図１（Ａ）に示す照明器具５では、電源ユニット２−１，…，２−ｎは、各々の照明光源に対応して設けられる。以下、照明光源３−１，…，３−ｎ、電源ユニット２−１，…，２−ｎ、照明コントローラ１の順に、図１（Ａ）に示す照明器具５の各部を説明する。なお、照明器具５は、照明コントローラ１を含まず、少なくとも１つの照明光源と、当該照明光源に対応して設けられた少なくとも１つの電源ユニットとを含む構成としても良い。
【００２０】
照明光源３−１，…，３−ｎは全て同様な構成であるので、図１（Ａ）に示す照明光源３−１を例示して説明する。
【００２１】
照明光源３−１は、互いに異なる色である３色の赤色系（Ｒ），緑色系（Ｇ），青色系（Ｂ）の光を放射する発光素子３Ｒ，３Ｇ，３Ｂを有する。本実施形態の照明光源３−１の発光素子３Ｒ，３Ｇ，３Ｂは、例えばＬＥＤ（Light Emission Diode）を用いて構成され、それぞれ赤色ＬＥＤ，緑色ＬＥＤ，青色ＬＥＤである。但し、照明光源３−１を構成する３色の発光素子は、半導体発光素子であればＬＥＤ以外の発光素子でも良く、例えば有機ＥＬ（Electroluminescence）素子でも良い。
【００２２】
ここで、各色の発光素子３Ｒ，３Ｇ，３Ｂの光色の色度座標がそれぞれ（ｘＲ，ｙＲ），（ｘＧ，ｙＧ），（ｘＢ，ｙＢ）であり、各色の発光素子３Ｒ，３Ｇ，３Ｂの光量（照度）がそれぞれＹＲ，ＹＧ，ＹＢであれば、混色光である照明光の光色の色度座標（ｘ０，ｙ０）および光量Ｙ０は、数式（１）により示される。
【００２３】
【数１】
2015041602.tif 000003
【００２４】
各発光素子３Ｒ，３Ｇ，３Ｂは、各光量ＹR，ＹG，ＹBを変えても光色、即ち光の波長または色温度が変化しないので、各発光素子３Ｒ，３Ｇ，３Ｂの光量Ｙ０に対する光量ＹR，ＹG，ＹBの比率を変化させることで、混色として得られる照明光の光色（色温度）を変えることができる。また、各発光素子３Ｒ，３Ｇ，３Ｂの光量ＹR，ＹG，ＹBの比率を保った状態で光量ＹR，ＹG，ＹBを変化させれば、同一の光色（色温度）において照明光の光量（照度）を変えることができる。従って、本実施形態では、各発光素子３Ｒ，３Ｇ，３Ｂは、各光量ＹR，ＹG，ＹBを変化させ、更に、各発光素子３Ｒ，３Ｇ，３Ｂの光量Ｙ０に対する光量ＹR，ＹG，ＹBの比率を変化させることで、混色として得られる照明光の光色（色温度）を変化させることができる。
【００２５】
また、発光素子３Ｒ，３Ｇ，３Ｂの光量ＹR，ＹG，ＹBは給電量によって決まる。このため、後述するように、例えば照明光源３−１に対しては、電源ユニット２−１から各発光素子３Ｒ，３Ｇ，３Ｂに供給する給電量を増減することで、照明光の光色および光量を調節できる。ここで、照明光の色度が黒体軌跡にほぼ沿って変化するように照明光源３−１の各発光素子３Ｒ，３Ｇ，３Ｂの光量ＹR，ＹG，ＹBを決定することで、照明光の光色を色温度で指定できる。
【００２６】
電源部の一例としての電源ユニット２−１，…，２−ｎは全て同様な構成であるので、図１（Ｂ）を参照して、図１（Ａ）に示す電源ユニット２−１を例示して説明する。
【００２７】
図１（Ｂ）に示す電源ユニット２−１は、制御信号入力部２１と、交流／直流変換部２３と、駆動信号変換部２５と、赤色ＬＥＤ駆動部２７Ｒと、緑色ＬＥＤ駆動部２７Ｇと、青色ＬＥＤ駆動部２７Ｂとを含む。
【００２８】
制御信号入力部２１は、照明コントローラ１への操作（例えば、後述する長押し操作または単押し操作）に応じて照明コントローラ１から出力された制御信号（後述参照）が入力される。制御信号入力部２１は、入力された制御信号を直流の電圧信号に変換し、変換後の直流電圧信号を駆動信号変換部２５に供給（印加）する。
【００２９】
交流／直流変換部２３は、照明コントローラ１を通じて給電される交流電圧信号を、駆動信号変換部２５の動作に必要な所望の直流電圧信号に変換し、所望の直流電圧信号を駆動信号変換部２５に供給（印加）する。
【００３０】
駆動信号変換部２５は、マイコンおよびメモリを有する。このメモリには、制御信号入力部２１から供給（印加）された直流電圧信号の信号レベルと、この信号レベルから逆算可能な色温度と、色温度に対応する照明光の光色の色度座標（ｘ０，ｙ０）と、色度座標に対応する各発光素子３Ｒ，３Ｇ，３Ｂの光量ＹＲ，ＹＧ，ＹＢの比率と、各発光素子３Ｒ，３Ｇ，３Ｂの光量ＹＲ，ＹＧ，ＹＢとの関係が規定された変換テーブルが記憶されている。
【００３１】
駆動信号変換部２５は、マイコンにおいて、メモリに格納された変換テーブルを基に、制御信号入力部２１から供給（印加）された直流電圧信号を、赤色ＬＥＤ駆動部２７Ｒ，緑色ＬＥＤ駆動部２７Ｇ，青色ＬＥＤ駆動部２７Ｂに与えるべき駆動信号に変換する。駆動信号変換部２５は、赤色ＬＥＤ駆動部２７Ｒ，緑色ＬＥＤ駆動部２７Ｇ，青色ＬＥＤ駆動部２７Ｂ毎の駆動信号を、それぞれ赤色ＬＥＤ駆動部２７Ｒ，緑色ＬＥＤ駆動部２７Ｇ，青色ＬＥＤ駆動部２７Ｂに出力する。
【００３２】
赤色ＬＥＤ駆動部２７Ｒは、駆動信号変換部２５からの駆動信号に応じて、例えば赤色ＬＥＤにより構成される発光素子３Ｒを点灯させる。
緑色ＬＥＤ駆動部２７Ｇは、駆動信号変換部２５からの駆動信号に応じて、例えば緑色ＬＥＤにより構成される発光素子３Ｇを点灯させる。
青色ＬＥＤ駆動部２７Ｂは、駆動信号変換部２５からの駆動信号に応じて、例えば青色ＬＥＤにより構成される発光素子３Ｂを点灯させる。
【００３３】
ここで、赤色ＬＥＤ駆動部２７Ｒ，緑色ＬＥＤ駆動部２７Ｇ，青色ＬＥＤ駆動部２７Ｂの構成について、図１（Ｃ）を参照して説明する。図１（Ｃ）に示すように、赤色ＬＥＤ駆動部２７Ｒ，緑色ＬＥＤ駆動部２７Ｇ，青色ＬＥＤ駆動部２７Ｂは、全て共通の構成を有するので、説明の重複を避けるために、赤色ＬＥＤ駆動部２７Ｒを例示して説明する。
【００３４】
図１（Ｃ）に示す赤色ＬＥＤ駆動部２７Ｒは、交流／直流変換部２３の高電位側の出力端と発光素子３Ｒのアノードとの間に挿入された限流抵抗Ｒと、発光素子３Ｒのカソードにソース端子が接続され、ドレイン端子が交流／直流変換部２３の低電位側の出力端（ＧＮＤ：グランド）に接続されたＦＥＴ（Field Effect Transistor）を用いて構成されたスイッチング素子Ｑ１と、駆動信号変換部２５から出力された駆動信号を波形整形する波形整形回路とを含む。
【００３５】
図１（Ｃ）では、波形整形回路は、例えばコレクタ端子が交流／直流変換部２３の高電位側の出力端に接続され、エミッタ端子がスイッチング素子Ｑ１のゲート端子に接続されたＰＮＰ型のバイポーラトランジスタＴｒ１と、コレクタ端子がスイッチング素子Ｑ１のゲート端子に接続され、エミッタ端子が交流／直流変換部２３の低電位側の出力端（ＧＮＤ：グランド）に接続されたＮＰＮ型のバイポーラトランジスタＴｒ２とを含む。
【００３６】
波形整形回路は、並列接続された２つのバイポーラトランジスタＴｒ１，Ｔｒ２の各ベース端子に入力される駆動信号を波形整形し、波形整形後の駆動信号をスイッチング素子Ｑ１のゲート端子に出力する。ここで、駆動信号変換部２５は、オンデューティ比が可変である一定周期の矩形波信号の駆動信号を出力することで、赤色ＬＥＤ駆動部２７Ｒ，緑色ＬＥＤ駆動部２７Ｇ，青色ＬＥＤ駆動部２７Ｂの各スイッチング素子Ｑ１をＰＷＭ（Pulse Width Modulation）制御して各発光素子３Ｇ，３Ｒ，３Ｂへの給電量を調節する。
【００３７】
照明コントローラ１について、図２を参照して説明する。図２（Ａ）は、図１（Ａ）に示す照明コントローラ１の拡大説明図である。図２（Ｂ）は、図２（Ａ）に示すコントローラユニットＳＰＫ１の内部構成の一例を簡易に示すブロック図である。
【００３８】
照明コントローラ１は、互いに異なる色（例えば、赤色、緑色、青色）の光を放射する複数の発光素子（赤色ＬＥＤ３Ｒ，緑色ＬＥＤ３Ｇ，青色ＬＥＤ３Ｂ）を有する照明光源（例えば照明光源３−１）に、後述する所定の光の色温度および照度の関係（図３参照）に基づいて、複数の発光素子が放射する光の色温度および照度を調整させる。
【００３９】
更に、照明コントローラ１は、外部（例えば人）からの長押し操作に応じて、光の色温度および照度を連続的に増減するように調整させ、外部（例えば人）からの単押し操作に応じて、光の色温度および照度を離散的に増減するように調整させる。
【００４０】
図２（Ａ）に示す照明コントローラ１は、例えば合成樹脂成型品の本体部Ｃ１１及び蓋部Ｃ１３により構成されるハウジング１０を有する。ハウジング１０の蓋部Ｃ１３は、ヒンジ（不図示）を介して、本体部Ｃ１１に対して開閉可能である。図２（Ａ）では、蓋部Ｃ１３が開口している状態が示される。本体部Ｃ１１の表面には、メイン電源用スイッチＭＳと、一括電源用スイッチＭＰと、５つのコントローラユニットＳＰＫ１，ＳＰＫ２，ＳＰＫ３，ＳＰＫ４，ＳＰＫ５と、５つの電源用スイッチＲＳ１，ＲＳ２，ＲＳ３，ＲＳ４，ＲＳ５とが配設されている。蓋部Ｃ１３の裏面には、一括電源用スイッチＭＰに対応した一括電源用スイッチ窓ＷＰと、各コントローラユニットの電源用スイッチＲＳ１，ＲＳ２，ＲＳ３，ＲＳ４，ＲＳ５に対応した電源用スイッチ窓ＷＳ１，ＷＳ２，ＷＳ３，ＷＳ４，ＷＳ５が配設されている。
【００４１】
操作部の一例としての各コントローラユニットＳＰＫ１，ＳＰＫ２，ＳＰＫ３，ＳＰＫ４，ＳＰＫ５の構成は同様であるため、図２（Ｂ）を参照し、コントローラユニットＳＰＫ１を例示して説明する。
【００４２】
図２（Ｂ）に示すコントローラユニットＳＰＫ１は、調整用スイッチＡＤ１と、可変抵抗器ＶＲと、Ａ／Ｄ変換器１１と、メモリ１３と、制御信号生成部１５と、ＬＥＤ点灯制御部１７と、５つのＬＥＤランプＬＳ１，ＬＳ２，ＬＳ３，ＬＳ４，ＬＳ５とを含む。コントローラユニットＳＰＫ１のうち、本体部Ｃ１１の表面には、調整用スイッチＡＤ１と、５つのＬＥＤランプＬＳ１，ＬＳ２，ＬＳ３，ＬＳ４，ＬＳ５とが配設されている。なお、各コントローラユニットにおいて、ＬＥＤランプの数は一例として５つとしているが、５つに限定されない。同様に、照明コントローラ１において、コントローラユニットの数は一例として５つとしているが、５つに限定されない。
【００４３】
電源用スイッチＲＳ１は、例えばタンブラスイッチまたは押釦スイッチを用いて構成され、電源用スイッチＲＳ１のオン状態又はオフ状態に応じて、交流電源ＡＣから電源ユニット２−１への給電経路を開閉する。他の電源用スイッチＲＳ２，ＲＳ３，ＲＳ４，ＲＳ５の動作も電源用スイッチＲＳ１と同様であるため、説明は割愛する。電源用スイッチ窓ＷＳ１は、蓋部Ｃ１３が本体部Ｃ１１に閉じられた場合でも電源用スイッチＲＳ１が突出して操作可能となるように、電源用スイッチＲＳ１に対応して設けられている。なお、電源用スイッチ窓ＷＳ２，ＷＳ３．ＷＳ４．ＷＳ５についても電源用スイッチ窓ＷＳ１と同様であるため、説明は割愛する。
【００４４】
メイン電源用スイッチＭＳは、照明器具５の電源をオンまたはオフさせる。一括電源用スイッチＭＰは、全てまたは一部の照明光源の電源をオンまたはオフさせる。電源用スイッチＲＳ１は、コントローラユニットＳＰＫ１に対応する照明光源３−１の電源をオンまたはオフさせる。例えば照明光源が５つ設けられている場合、即ち、図１（Ａ）においてｎ＝５である場合には、コントローラユニットＳＰＫ１〜ＳＰＫ５は、照明光源３−１〜３−ｎ（ｎ＝５）に対応して設けられる。
【００４５】
一括電源用スイッチ窓ＷＰは、電源用スイッチ窓ＷＳ１と同様に、蓋部Ｃ１３が本体部Ｃ１１に閉じられた場合でも一括電源用スイッチＭＰが突出して操作可能となるように、電源用スイッチＲＳ１に対応して設けられている。
【００４６】
調整用スイッチＡＤ１は、例えばシーソースイッチを用いて構成され、人の長押し操作または単押し操作を受け付ける。調整用スイッチＡＤ１への操作量、即ち、後述する制御信号のオンデューティ比は、照明光源３−１から照射される照明光の色温度および照度に対応している。また、調整用スイッチＡＤ１への長押し操作または単押し操作により、照明光源３−１から照射される照明光の色温度および照度が変化する（図３および図４参照）。
【００４７】
調整用スイッチＡＤ１への長押し操作または単押し操作により、可変抵抗器ＶＲの抵抗値が可変する。Ａ／Ｄ変換器１１は、可変抵抗器ＶＲの抵抗値をＡ／Ｄ変換して制御信号生成部１５に出力する。制御信号生成部１５は、Ａ／Ｄ変換器１１においてデジタル値に変換された抵抗値に対応するオンデューティ比を有する制御信号を生成し、生成された制御信号を電源ユニット２−１に出力する。この制御信号は、電源ユニット２−１が、照明光源３−１から照射される照明光の色温度および照度を変化させるための信号である。
【００４８】
制御信号生成部１５は、生成された制御信号に応じて、照明光源３−１から照射される照明光の照度または照度の範囲を示すために、各ＬＥＤランプＬＳ１，ＬＳ２，ＬＳ３，ＬＳ４，ＬＳ５のうちいずれか一つの点灯指示をＬＥＤ点灯制御部１７に出力する。ＬＥＤ点灯制御部１７は、制御信号生成部１５からの点灯指示に応じて、該当する１つのＬＥＤランプを点灯させる。ＬＥＤランプと照明光の照度との関係については、図４を参照して後述する。
【００４９】
次に、照明光源３−１を例示し、照明コントローラ１のコントローラユニットＳＰＫ１への操作に応じて、照明光源３−１からの照明光の色温度および照度を変化させる例について、図３および図４を参照して説明する。
【００５０】
図３は、本実施形態の照明コントローラ１の操作に応じた、照明光源３−１からの光の色温度と照度との変化の一例を示す説明図である。図４は、調整用スイッチＡＤ１の長押し操作と単押し操作とに応じた、照明光源３−１からの光の色温度と照度との変化の一例を示す説明図である。
【００５１】
図３の横軸は、例えば照明光源３−１からの照明光の色温度を示し、およそ２２００Ｋから５０００Ｋの範囲である。図３の縦軸は、例えば照明光源３−１からの照明光の照度（明るさ）を示し、０％から１００％の範囲である。図３に示す曲線ＣＲＶは、人に快適な印象を与える光の色温度と照度との関係を表す曲線の一例である。
【００５２】
本実施形態では、照明コントローラ１は、図３に示すように、照明コントローラ１への操作に応じて、照明光源３−１からの照明光の色温度および照度を、曲線ＣＲＶに沿って変化させる。即ち、電源ユニット２−１は、照明コントローラ１から出力された制御信号に応じて、照明光源３−１からの照明光の色温度および照度を、曲線ＣＲＶに沿って変化させる。
【００５３】
例えば、現在の照明光源３−１の色温度および照度の状態が図３に示す位置Ｐ１である場合、即ち、（色温度，照度）＝（２５００Ｋ，４７％）である場合を想定する。この場合には、照明コントローラ１は、位置Ｐ１に対応する（色温度，照度）の照明光が放射されていることを示すために、ＬＥＤランプＬＳ１を点灯させている。
【００５４】
先ず、照明コントローラ１のコントローラユニットＳＰＫ１の調整用スイッチＡＤ１の上側または下側に長押し操作がなされると、照明コントローラ１は、照明光源３−１の色温度および照度の状態を、図３に示す曲線ＣＲＶ上に沿って連続的に増減するように変化させるための制御信号を生成して電源ユニット２−１に出力する。これにより、照明光源３−１は、図３に示す曲線ＣＲＶ上に沿って、（色温度，照度）を連続的に増減させた照明光を放射することができる。
【００５５】
次に、照明コントローラ１のコントローラユニットＳＰＫ１の調整用スイッチＡＤ１の上側に１回の単押し操作がなされると、照明コントローラ１は、照明光源３−１の色温度および照度の状態を図３に示す位置Ｐ２、即ち、（色温度，照度）＝（２７００Ｋ，６１％）に変化させるための制御信号を生成して電源ユニット２−１に出力する。これにより、照明光源３−１は、（色温度，照度）＝（２７００Ｋ，６１％）の照明光を放射することができる。更に、照明コントローラ１は、調整用スイッチＡＤ１の上側への１回の単押し操作に応じて、変更後の位置Ｐ２に対応する（色温度，照度）の照明光が放射されることを示すために、ＬＥＤランプＬＳ２を点灯させる。
【００５６】
続けて、調整用スイッチＡＤ１の上側に１回の単押し操作がなされると、照明コントローラ１は、照明光源３−１の色温度および照度の状態を図３に示す位置Ｐ３、即ち、（色温度，照度）＝（３５００Ｋ，８０％）に変化させるための制御信号を生成して電源ユニット２−１に出力する。これにより、照明光源３−１は、（色温度，照度）＝（３５００Ｋ，８０％）の照明光を放射することができる。更に、照明コントローラ１は、調整用スイッチＡＤ１の上側への１回の単押し操作に応じて、変更後の位置Ｐ３に対応する（色温度，照度）の照明光が放射されることを示すために、ＬＥＤランプＬＳ３を点灯させる。
【００５７】
一方、調整用スイッチＡＤ１の下側に１回の単押し操作がなされると、照明コントローラ１は、照明光源３−１の色温度および照度の状態を図３に示す位置Ｐ１、即ち、（色温度，照度）＝（２５００Ｋ，４７％）に変化させるための制御信号を生成して電源ユニット２−１に出力する。これにより、照明光源３−１は、（色温度，照度）＝（２５００Ｋ，４７％）の照明光を放射することができる。更に、照明コントローラ１は、調整用スイッチＡＤ１の下側への１回の単押し操作に応じて、変更後の位置Ｐ１に対応する（色温度，照度）の照明光が放射されることを示すために、ＬＥＤランプＬＳ１を点灯させる。
【００５８】
同様に続けて、調整用スイッチＡＤ１の上側または下側に１回の単押し操作がなされると、照明コントローラ１は、現在の照明光源３−１の色温度および照度の状態を、図３の隣接する位置に対応する（色温度，照度）に変化させるための制御信号を生成して電源ユニット２−１に出力する。これにより、照明光源３−１は、離散的に設けられた位置Ｐ１，位置Ｐ２，位置Ｐ３，位置Ｐ４，位置Ｐ５に対応した（色温度，照度）の照明光を放射することができる。更に、照明コントローラ１は、調整用スイッチＡＤ１の上側または下側への１回の単押し操作に応じて、変更後の位置Ｐ１に対応する（色温度，照度）の照明光が放射されることを示すために、該当するＬＥＤランプを点灯させる。
【００５９】
本実施形態では、図３に示す位置Ｐ１に対応する（色温度，照度）＝（２５００Ｋ，４７％）、位置Ｐ２に対応する（色温度，照度）＝（２７００Ｋ，６１％）、位置Ｐ３に対応する（色温度，照度）＝（３５００Ｋ，８０％）、位置Ｐ４に対応する（色温度，照度）＝（４５００Ｋ，９３％）、位置Ｐ５に対応する（色温度，照度）＝（５０００Ｋ，１００％）である。これらの（色温度，照度）の離散値は、人に快適な印象を与える光の色温度と照度との関係を表す曲線ＣＲＶ上の位置であって、曲線ＣＲＶ上の位置として予め規定された推奨値または代表値の一例である。
【００６０】
なお、位置Ｐ１に対応する２５００Ｋから位置Ｐ２に対応する２７００Ｋまでの範囲の色温度では、照明光は電球色となり、赤っぽくしっとりした色であり、くつろぎや落ち着きを人に与えると言われている。位置Ｐ３に対応する３５００Ｋの周囲の色温度では、照明光は温白色となり、くつろぎと活気とを人に与えると言われている。更に、位置Ｐ４に対応する４５００Ｋから位置Ｐ５に対応する５０００Ｋまでの範囲の色温度では、照明光は昼白色となり、白っぽい爽やかな色であり、活気を人に与えると言われている。
【００６１】
図５は、照明コントローラ１と照明器具５とが取り付けられた屋内の部屋ＲＭの一例を示す図である。照明器具５は、複数の照明光源３−１〜３−５が設けられている場合に限らず、１つの照明光源（例えば照明光源３−１）だけが設けられても良い。図５では、照明光源３−１〜３−３は、例えば部屋ＲＭの天井面に取り付けられたダウンライト型の照明器具に設けられる。また、図５では、照明光源３−４および３−５は、例えば部屋ＲＭの壁面に取り付けられたブラケット型の照明器具に設けられる。なお、各々の照明光源の設置位置は、部屋ＲＭの天井面や壁面に限定されない。
【００６２】
以上により、本実施形態では、照明コントローラ１は、単押し操作に応じて、照明光源（例えば照明光源３−１）からの照明光の色温度および照度を離散的に増減するように変化させる。また、照明コントローラ１は、長押し操作に応じて、照明光源３−１からの照明光の色温度および照度を連続的に増減するように変換させる。これにより、照明コントローラ１は、長押し操作または単押し操作の簡易な操作により、照明光源からの照明光の色温度の広範な範囲にわたって、照明光の色温度および照度を容易に調整することができる。
【００６３】
また、単押し操作に応じた照明光の色温度および照度の離散値は、人に快適な印象を与える光の色温度と照度との関係を表す曲線ＣＲＶ上の位置である。これにより、照明コントローラ１は、単押し操作によって、照明光源からの照明光の色温度の広範な範囲にわたって、人に快適な印象を与える照明光を放射させることができる。
【００６４】
また、単押し操作に応じた照明光の色温度は、電球色、温白色、昼白色に対応した各色温度である。これにより、照明コントローラ１は、単押し操作によって、人の気分に応じて、快適な印象を与える照明光を放射させることができる。
【００６５】
（本実施形態の変形例）
次に、上述した本実施形態の変形例（以下、「第１変形例」という）について、図６を参照して説明する。
【００６６】
図６（Ａ）は、第１変形例の照明コントローラ１の操作に応じた、照明器具５からの照明光の色温度と照度との変化の一例を示す説明図である。図６（Ｂ）は、第１変形例の照明コントローラ１のコントローラユニットＳＰＫ１ａの一例を示す図である。図６（Ｃ）は、第１変形例の照明コントローラ１のコントローラユニットＳＰＫ１ｂの他の一例を示す図である。
【００６７】
図６（Ａ）に示す曲線ＣＲＶ１は、図３に示す曲線ＣＲＶと同一である。第１変形例では、人がコントローラユニットＳＰＫ１ａの調整用スイッチＡＤ２またはコントローラユニットＳＰＫ１ｂの調整用スイッチＡＤ３を操作した場合、照明コントローラ１は、図６（Ａ）に示す位置Ｐ１〜Ｐ５に対応する色温度および照度を変更できる。図６（Ａ）では、照明コントローラ１は、調整用スイッチＡＤ２またはＡＤ３への操作に応じて、例えば位置Ｐ２に対応する照度を減少するように調整する。
【００６８】
第１変形例の照明コントローラ１は、例えば調整用スイッチＡＤ２の上側および下側が押下されると、位置Ｐ１〜Ｐ５に対応する照度を変更し、調整用スイッチＡＤ２の左側および右側が押下されると、位置Ｐ１〜Ｐ５に対応する色温度を変更する。コントローラユニットＳＰＫ１ａおよび１ｂの各構成および動作については、上述した本実施形態と同様であるため、説明は割愛する。
【００６９】
これにより、上述した本実施形態では曲線ＣＲＶ上の位置Ｐ１〜Ｐ５に対応する色温度および照度は固定値であったが、第１変形例によると、照明コントローラ１は、調整用スイッチＡＤ２またはＡＤ３を押下することで、色温度または照度を簡易に調整することができる。
【００７０】
以上、図面を参照しながら各種の実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００７１】
なお、例えば照明光源３−１の現在の照度が６０、即ちＬＥＤランプＬＳ２が点灯し、人が調整用スイッチＡＤ１を長押し操作している状態を想定する。この状況下において、照明コントローラ１は、照明光源３−１からの照明光の照度が８６を超えた場合、即ち、ＬＥＤランプＬＳ３の点灯が終了してＬＥＤランプＬＳ４が点灯する場合に、ＬＥＤランプＬＳ３を点滅させても良い。または、照明コントローラ１は、同様な状況下において、長押し操作がなされても、一定期間の間、照明光源３−１からの照明光の照度の増加を停止しても良い。これにより、照明コントローラ１は、照明光源３−１からの照明光の照度が連続的に上昇している間でも、人に現在の状況を容易に確認させることができる。
【００７２】
なお、上述した本実施形態の照明器具５では、照明光源３−１，…，３−ｎの構成として、例えば３色の発光素子（例えば、赤色ＬＥＤ素子、青色ＬＥＤ素子、緑色ＬＥＤ素子）を用いて説明した。以下に説明するように、第２変形例として、３色の発光素子に置き換えて、２色の発光素子（例えば色温度が２２００ＫのＬＥＤ素子と、８０００ＫのＬＥＤ素子）を用いても良い。
【００７３】
図７（Ａ）は、第２変形例の照明器具５ａの全体構成を示すブロック図である。図７（Ｂ）は、電源ユニット２−１ａの内部構成の一例を示すブロック図である。
【００７４】
図７（Ａ）に示す照明器具５ａは、照明コントローラ１と、少なくとも１つの照明光源３−１ａ，…，３−ｎａ（ｎ：２以上の整数）と、少なくとも１つの電源ユニット２−１ａ，…，２−ｎａとを含む。図７（Ａ）及び図７（Ｂ）の説明では、図１（Ａ）に示す照明器具５及び図１（Ｂ）に示す電源ユニット２−１，…，２−ｎの各部の動作と同一のものには同一の符号を付与して説明を省略又は簡略化し、異なる内容について説明する。
【００７５】
照明光源３−１ａ，…，３−ｎａは全て同様な構成であるので、図７（Ａ）に示す照明光源３−１ａを例示して説明する。
【００７６】
照明光源３−１ａは、互いに異なる光を放射する発光素子３Ｋ，３Ｌを有する。第２変形例の照明光源３−１ａの発光素子３Ｋ，３Ｌは、例えばＬＥＤ（Light Emission Diode）、又は半導体発光素子（例えば有機ＥＬ素子）を用いて構成される。
【００７７】
具体的には、発光素子３Ｋと発光素子３Ｌとは互いに色温度が異なり、例えば発光素子３Ｋは２２００Ｋの色温度の光を放射し、発光素子３Ｌは８０００Ｋの色温度の光を放射する。また、各発光素子の色温度は塗布される蛍光体の種類又は成分の変更に応じて設定可能であり、蛍光体の種類又は成分は特に限定されない。
【００７８】
ここで、各色の発光素子３Ｋ，３Ｌの光色の色度座標がそれぞれ（ｘ１，ｙ１），（ｘ２，ｙ２）であり、各色の発光素子３Ｋ，３Ｌの光量（照度）がそれぞれＹ１，Ｙ２であれば、混色光である照明光の光色の色度座標（ｘ０，ｙ０）および光量Ｙ０は、数式（２）により示される。
【００７９】
【数２】
2015041602.tif 000004
【００８０】
各発光素子３Ｋ，３Ｌは、各光量Ｙ１，Ｙ２を変えても光色、即ち光の波長または色温度が変化しないので、各発光素子３Ｋ，３Ｌの光量Ｙ０に対する光量Ｙ１，Ｙ２の比率を変化させることで、混色として得られる照明光の光色（色温度）を変えることができる。また、各発光素子３Ｋ，３Ｌの光量Ｙ１，Ｙ２の比率を保った状態で光量Ｙ１，Ｙ２を変化させれば、同一の光色（色温度）において照明光の光量（照度）を変えることができる。従って、第２変形例では、各発光素子３Ｋ，３Ｌは、各光量Ｙ１，Ｙ２を変化させ、更に、各発光素子３Ｋ，３Ｌの光量Ｙ０に対する光量Ｙ１，Ｙ２の比率を変化させることで、混色として得られる照明光の光色（色温度）を変化させることができる。
【００８１】
また、発光素子３Ｋ，３Ｌの光量Ｙ１，Ｙ２は給電量によって決まる。このため、例えば照明光源３−１ａに対しては、電源ユニット２−１ａから各発光素子３Ｋ，３Ｌに供給する給電量を増減することで、照明光の光色および光量を調節できる。ここで、照明光の色度が黒体軌跡にほぼ沿って変化するように照明光源３−１ａの各発光素子３Ｋ，３Ｌの光量Ｙ１，Ｙ２を決定することで、照明光の光色を色温度で指定できる。
【００８２】
電源部の一例としての電源ユニット２−１ａ，…，２−ｎａは全て同様な構成であるので、図７（Ｂ）を参照して、図７（Ａ）に示す電源ユニット２−１ａを例示して説明する。
【００８３】
図７（Ｂ）に示す電源ユニット２−１ａは、制御信号入力部２１と、交流／直流変換部２３と、駆動信号変換部２５と、第１発光素子駆動部２７Ｋと、第２発光素子駆動部２７Ｌとを含む。
【００８４】
駆動信号変換部２５は、マイコンおよびメモリを有する。このメモリには、制御信号入力部２１から供給（印加）された直流電圧信号の信号レベルと、この信号レベルから逆算可能な色温度と、色温度に対応する照明光の光色の色度座標（ｘ０，ｙ０）と、色度座標に対応する各発光素子３Ｋ，３Ｌの光量Ｙ１，Ｙ２の比率と、各発光素子３Ｋ，３Ｌの光量Ｙ１，Ｙ２との関係が規定された変換テーブルが記憶されている。
【００８５】
駆動信号変換部２５は、マイコンにおいて、メモリに格納された変換テーブルを基に、制御信号入力部２１から供給（印加）された直流電圧信号を、第１発光素子駆動部２７Ｋ，第２発光素子駆動部２７Ｌに与えるべき駆動信号に変換する。駆動信号変換部２５は、第１発光素子駆動部２７Ｋ，第２発光素子駆動部２７Ｌ毎の駆動信号を、それぞれ第１発光素子駆動部２７Ｋ，第２発光素子駆動部２７Ｌに出力する。
【００８６】
第１発光素子駆動部２７Ｋは、駆動信号変換部２５からの駆動信号に応じて、例えば２２００Ｋの色温度の光を放射する発光素子３Ｋを点灯させる。
第２発光素子駆動部２７Ｌは、駆動信号変換部２５からの駆動信号に応じて、例えば８０００Ｋの色温度の光を放射する発光素子３Ｌを点灯させる。
【００８７】
なお、第１発光素子駆動部２７Ｋ及び第２発光素子駆動部２７Ｌの構成は、図１（Ｃ）に示す赤色ＬＥＤ駆動部２７Ｒ，緑色ＬＥＤ駆動部２７Ｇ，青色ＬＥＤ駆動部２７Ｂと同一であるため、説明を省略する。
【００８８】
従って、第２変形例の照明器具５ａは、上述した本実施形態の照明器具５における各照明光源の発光素子に比べて、発光素子の数が１つ少ない照明光源３−１ａ，…，３−ｎａを用いた場合でも、上述した本実施形態の照明器具５と同様の効果が得られる。
【産業上の利用可能性】
【００８９】
本発明は、簡易な操作により、広範な色温度の範囲にわたって照明光の色温度および照度を調整する照明コントローラと、照明コントローラを含む照明器具として有用である。
【符号の説明】
【００９０】
１  照明コントローラ
２−１、２−ｎ  電源ユニット
３−１、３−ｎ  照明光源
５  照明器具
３Ｒ  赤色ＬＥＤ
３Ｇ  緑色ＬＥＤ
３Ｂ  青色ＬＥＤ
２１  制御信号入力部
２３  交流／直流変換部
２５  駆動信号変換部
２７Ｒ  赤色ＬＥＤ駆動部
２７Ｇ  緑色ＬＥＤ駆動部
２７Ｂ  青色ＬＥＤ駆動部
ＡＤ１、ＡＤ２、ＡＤ３、ＡＤ４、ＡＤ５  調整用スイッチ（操作部）
ＬＳ１、ＬＳ２、ＬＳ３、ＬＳ４、ＬＳ５  ＬＥＤランプ
ＲＳ１、ＲＳ２、ＲＳ３、ＲＳ４、ＲＳ５  電源用スイッチ
ＳＰＫ１、ＳＰＫ２、ＳＰＫ３、ＳＰＫ４、ＳＰＫ５  コントローラユニット
ＷＳ１、ＷＳ２、ＷＳ３、ＷＳ４、ＷＳ５  電源用スイッチ窓
【図１】
2015041602.tif 000005
【図２】
2015041602.tif 000006
【図３】
2015041602.tif 000007
【図４】
2015041602.tif 000008
【図５】
2015041602.tif 000009
【図６】
2015041602.tif 000010
【図７】
2015041602.tif 000011
【図８】
2015041602.tif 000012